(57)【要約】【課題】機械音等の箱体本体外部への漏れを抑制することができる上、十分な冷却機能をも発揮し得る底板を備えた電気機器収納用箱体を提供する。【解決手段】箱本体１の底面を開口するのではなく、板状部材の周囲を下方へ折り曲げてなる平面視が矩形の箱状体であって、台面７ａの前部には、通風のための前開口１１が開設されている一方、台面７ａの後部には、通線のための後開口１２が開設されてなる底板７を設けた。また、当該底板７の台面７ａの下面略中央に、前方から後方へ向かって下降傾斜する傾斜面を有する誘導板１３を取り付け、底板７の下方から流れ込む空気を前開口１１側へ導くようした。尚、前開口１１と後開口１２との開口面積の合計は、台面７ａの面積の略１／４程度とした。【選択図】図２
2009212391.tif 000002
【特許請求の範囲】
【請求項１】
前方に開口を有する箱本体と、当該開口を開閉する扉体とを備え、前記箱本体の内部に各種電気機器を収納可能な電気機器収納用箱体であって、
前記箱本体が、その底面を閉塞する底板を備えており、当該底板が、前記箱本体の下端部よりも底上げ状態で設けられているとともに、前記底板に、各開口面積が前記箱本体の底面積の１／３以下となる通気用開口及び通線用開口が開設されていることを特徴とする電気機器収納用箱体。
【請求項２】
底板の前部に通気用開口が、前記底板の後部に通線用開口が夫々開設されているとともに、前記底板の下面で、且つ、前記通気用開口と前記通線用開口との間となる位置に、後方へ向かって下降傾斜する傾斜面を有する誘導板が取り付けられていることを特徴とする請求項１に記載の電気機器収納用箱体。
【請求項３】
底板が、通気用開口を有する第１部材と、通線用開口を有する第２部材とを連結してなり、箱本体の内部に設置する電気機器の数や箱本体内部へ通線するケーブルの量に応じて、前記通気用開口の開口面積が異なる複数種類の第１部材から任意の第１部材を選択するとともに、前記通線用開口の開口面積が異なる複数種類の第２部材から任意の第２部材を選択し、当該選択した第１部材と第２部材とを連結することで前記底板を形成可能としたことを特徴とする請求項１又は２に記載の電気機器収納用箱体。
【発明の詳細な説明】
【技術分野】
【０００１】
本発明は、情報通信機器等の電気機器を内部に収納可能な電気機器収納用箱体に関するものである。
【背景技術】
【０００２】
従来、情報通信機器等を収納する電気機器収納用箱体にあっては、箱体本体の底面を開口させ、当該開口を介して各種配線を情報通信機器へ通線させるとともに、当該開口から空気を箱体本体内部へ流入させることにより、箱体本体内部の冷却を図っていた（たとえば、特許文献１）。
【０００３】
【特許文献１】特開２００５−１９８５７号公報
【発明の開示】
【発明が解決しようとする課題】
【０００４】
しかしながら、箱体本体の底面に大きな開口を設けていると、特に箱体本体にキャスターを取り付けて底上げした場合等に、箱体本体内部で発生した音（情報通信機器が生じる機械音）が開口を介して箱体本体外部へ漏れ、騒音等の問題が生じてしまう。
【０００５】
そこで、本発明は、上記問題に鑑みなされたものであって、機械音等の箱体本体外部への漏れを抑制することができる上、十分な冷却機能をも発揮し得る底板を備えた電気機器収納用箱体を提供しようとするものである。
【課題を解決するための手段】
【０００６】
上記目的を達成するために、本発明のうち請求項１に記載の発明は、前方に開口を有する箱本体と、当該開口を開閉する扉体とを備え、前記箱本体の内部に各種電気機器を収納可能な電気機器収納用箱体であって、前記箱本体が、その底面を閉塞する底板を備えており、当該底板が、前記箱本体の下端部よりも底上げ状態で設けられているとともに、前記底板に、各開口面積が前記箱本体の底面積の１／３以下となる通気用開口及び通線用開口が開設されていることを特徴とする。
請求項２に記載の発明は、請求項１に記載の発明において、底板の前部に通気用開口が、前記底板の後部に通線用開口が夫々開設されているとともに、前記底板の下面で、且つ、前記通気用開口と前記通線用開口との間となる位置に、後方へ向かって下降傾斜する傾斜面を有する誘導板が取り付けられていることを特徴とする。
請求項３に記載の発明は、請求項１又は２に記載の発明において、底板が、通気用開口を有する第１部材と、通線用開口を有する第２部材とを連結してなり、箱本体の内部に設置する電気機器の数や箱本体内部へ通線するケーブルの量に応じて、前記通気用開口の開口面積が異なる複数種類の第１部材から任意の第１部材を選択するとともに、前記通線用開口の開口面積が異なる複数種類の第２部材から任意の第２部材を選択し、当該選択した第１部材と第２部材とを連結することで前記底板を形成可能としたことを特徴とする。
【発明の効果】
【０００７】
本発明によれば、箱本体の底面を全て開口とするのではなく、底板を取り付けることで開口を必要最小限としているため、箱本体の内部に収納される電気機器が生じる機械音等の箱本体外部への漏れを抑制することができる。また、従来では箱本体の内部へ収納できなかった機器（たとえば、マウントアングルに取り付けるための取付部を有していない機器や重量物等）であっても、底板上に載置することで箱本体の内部へ収納することができ、電気機器収納用箱体の汎用性を向上することができる。さらに、底板を箱本体の下端部よりも底上げ状態で設けているため、たとえ箱本体を設置面上に直接載置したとしても底板の下端と設置面との間に隙間が形成されることになり、空気の取り入れ等が阻害されたりしない。
また、請求項２に記載の発明によれば、底板の前部に通気用開口を、底板の後部に通線用開口を夫々開設するとともに、底板の下面で、且つ、通気用開口と通線用開口との間となる位置に、前方から後方へ向かって下降傾斜する傾斜面を有する誘導板を取り付けている。したがって、底板の下方から流れ込む空気を効率良く箱本体の内部へ導くことができ、開口面積を抑えているにも拘わらず十分に効果的な冷却機能を奏することができる。
さらに、請求項３に記載の発明によれば、底板が、通気用開口を有する第１部材と、通線用開口を有する第２部材とを連結してなり、箱本体の内部に設置する電気機器の数や箱本体内部へ通線するケーブルの量に応じて、通気用開口の開口面積が異なる複数種類の第１部材から任意の第１部材を選択するとともに、通線用開口の開口面積が異なる複数種類の第２部材から任意の第２部材を選択し、当該選択した第１部材と第２部材とを連結することで底板を形成可能としている。したがって、電気機器収納用箱体の状況に応じて最も好適な底板を極めて容易に作成することができ、使い勝手の更なる向上を図ることができる。
【発明を実施するための最良の形態】
【０００８】
以下、本発明の一実施形態となる電気機器収納用箱体について、図面をもとに詳細に説明する。
【０００９】
図１は、電気機器収納用箱体の箱本体１の外観を示した斜視説明図である。
電気機器収納用箱体は、前面に開口を有する箱本体１と、箱本体１の前面開口を開閉するための扉体（図示せず）とからなる。箱本体１は、４本の支柱２、２・・と、当該４本の支柱２、２・・の上端同士を連結する上枠体３と、支柱２、２・・の下端同士を連結する下枠体４と、上枠体３に取り付けられる天板５と、支柱２、２間に取り付けられる一対の側板６、６及び背板（図示せず）と、下枠体４に取り付けられる底板７とからなるもので、当該箱本体１の内部には、上枠体３と下枠体４とにわたる一対のマウントアングル８、８が設置されており、当該マウントアングル８、８に各種情報通信機器Ｍ、Ｍ・・を取り付け可能となっている。
【００１０】
ここで、本発明の要部となる底板７について、図２〜図４をもとに詳細に説明する。図２（ａ）は、底板７の上面側を示した斜視説明図であって、図２（ｂ）は底板７の底面側を示した斜視説明図である。また、図３は、底板７の前後方向での断面を示した説明図であり、図４は、底板７の下枠体４への取り付けを示した説明図である。
底板７は、板状部材の周囲を下方へ折り曲げてなる平面視が矩形の箱状体であって、台面７ａの前部には、通風のための前開口１１が開設されている一方、台面７ａの後部には、通線のための後開口１２が開設されている。また、台面７ａの下面略中央（前開口１１と後開口１２との間）には、前方から後方へ向かって下降傾斜する傾斜面を有する誘導板１３が取り付けられており、底板７の下方から流れ込む空気を前開口１１側へ導くようになっている。さらに、台面７ａの前部及び後部の夫々左右側部には、底板７を下枠体４へ固着するための固着部１４、１４・・が設けられている。尚、前開口１１の開口面積は、台面７ａの面積の略１／１２となり、後開口１２の開口面積は、台面７ａの面積の略１／８となっている。したがって、前開口１１と後開口１２との開口面積の合計は、台面７ａの面積の略１／４程度となる。
そして、当該底板７は、図４に示す如く、下枠体４の前部及び後部に設けられた支持リブ１５、１５上に載置した状態でネジ１６、１６によりネジ止めされる。尚、当該固着状態にあっては、底板７の下端（周囲の折り曲げ部の下端、及び誘導板１３の下端）が下枠体４の底面よりも浮いた状態（すなわち、底板７の下端と下枠体４の底面との間に隙間が形成された状態）となっている。
【００１１】
上述したような底板７を有する電気機器収納用箱体によれば、箱本体１の底面を全て開口とするのではなく、底板７を取り付けることで開口を必要最小限としているため、たとえ下枠体４にキャスターを設け箱本体１を底上げしたとしても、箱本体１内部に収納される情報通信機器Ｍ、Ｍ・・が生じる機械音等の箱本体１外部への漏れを抑制することができる。さらに、従来では箱本体１内部へ収納できなかった機器（たとえば、マウントアングル８に取り付けるための取付部を有していない機器や重量物等）であっても、底板７上に載置することで箱本体１内部へ収納することができ、電気機器収納用箱体の汎用性を向上することができる。
【００１２】
また、底板７に前開口１１を設けるとともに、台面７ａの下面略中央に、前方から後方へ向かって下降傾斜する傾斜面を有する誘導板１３を取り付けているため、底板７の下方から流れ込む空気を効率良く箱本体１内部へ導くことができ、開口面積を抑えているにも拘わらず十分に効果的な冷却機能を奏することができる。さらに、底板７には、各種配線を情報通信機器へ通線するための後開口１２が開設されているため、底板７を設置することで通線作業や配線の引き回し等が煩わしくなることもない。
加えて、下枠体４に支持リブ１５、１５を設け、底板７を当該支持リブ１５、１５上に載置した状態で固着可能としており、当該固着状態にあっては、底板７の下端が下枠体４の底面よりも浮いた状態となるようにしているため、たとえ下枠体４を設置面上に直接載置したとしても底板７の下端と設置面との間に隙間が形成されることになり、空気の取り入れ等が阻害されたりしない。
【００１３】
なお、本発明の電気機器収納用箱体に係る構成は、上記実施形態に記載の態様に何ら限定されるものではなく、箱本体の構成は勿論、底板に係る構成を、本発明の趣旨を逸脱しない範囲で適宜変更することができる。
【００１４】
たとえば、底板に形成する前開口や後開口の開口面積は、台面の面積の１／３以下であれば適宜変更可能であって、後開口を前開口よりも大形に形成する等してもよい。また、通気用開口に、複数の小孔が穿設されてなるパンチングシートを設置し、大型の埃等の内部への進入を防止するようにしてもよい。さらに、配線用開口に防塵シートを設けることも可能である。
また、底板を、前開口を有する前台と後開口を有する後台とを連結してなるものとするととともに、前開口の開口面積が異なる前台と後開口の開口面積が異なる後台とを夫々複数種類づつ用意しておき、箱本体内部へ通線するケーブルの量や収納する情報通信機器の数等に応じて、前台と後台との組み合わせを適宜選択するようにしてもよい。当該構成を採用することで、電気機器収納用箱体の使用状況に応じて最も好適な底板を極めて容易に作成することができ、使い勝手の更なる向上を図ることができる。
加えて、箱本体を形成するにあたり、上枠体や下枠体、支柱等を用いることなく、板同士（たとえば、側板と底板、背板と底板等）を直接連結するようにしても何ら問題はない。
【図面の簡単な説明】
【００１５】
【図１】電気機器収納用箱体の箱本体の外観を示した斜視説明図である。
【図２】（ａ）は、底板の上面側を示した斜視説明図であって、（ｂ）は底板の底面側を示した斜視説明図である。
【図３】底板の前後方向での断面を示した説明図である。
【図４】底板の下枠体への取り付けを示した説明図である。
【符号の説明】
【００１６】
１・・箱本体、５・・天板、６・・側板、４・・下枠体、７・・底板、７ａ・・台面、１１・・前開口（通気用開口）、１２・・後開口（通線用開口）、１３・・誘導板、１４・・固着部、１５・・支持リブ。
【図１】
2009212391.tif 000003
【図２】
2009212391.tif 000004
【図３】
2009212391.tif 000005
【図４】
2009212391.tif 000006